(57)【特許請求の範囲】
【請求項１】
顕微鏡用のスライドガラスを格納するためのスライドガラス格納ケースであって、
ケース本体部と、開閉可能な蓋体部とを具備し、
前記ケース本体部と前記蓋体部により、スライドガラスの格納スペースと、スライドガラスを前記格納スペースに挿入するための挿入口が形成されており、
前記ケース本体部及び前記蓋体部の少なくとも一方の、前記挿入口の近傍に、スライドガラスを前記挿入口から前記格納スペースに挿入する際には変形してスライドガラスが格納スペースに挿入、格納されることを許容するが、スライドガラスが格納スペースに格納されると、形状が復元して、内部に格納されたスライドガラスが脱落することを阻止するストッパーが配設されており、かつ、
前記ケース本体部又は蓋体部の少なくとも一方の、前記挿入口を構成する部分に、スライドガラスを前記挿入口からストッパーより奥側にまで押し込んで、前記格納スペース内に格納することができるようにするための押し込み用切り欠きが形成されていること
を特徴とするスライドガラス格納ケース。
【請求項２】
前記ケース本体部及び蓋体部の少なくとも一方には、格納されたスライドガラスに表示された情報を確認するための窓が形成されていることを特徴とする請求項１記載のスライドガラス格納ケース。
【請求項３】
前記ケース本体部及び蓋体部が同一材料から一体に形成されていることを特徴とする請求項１または２記載のスライドガラス格納ケース。
【請求項４】
前記格納スペース及び挿入口が、平面的に複数の位置に配設されており、各格納スペースにスライドガラスを格納することができるように構成されていることを特徴とする請求項１〜３のいずれかに記載のスライドガラス格納ケース。
【発明の詳細な説明】
【０００１】
【発明の属する技術分野】
本発明は顕微鏡用のスライドガラスを格納して保管したり、搬送（郵送など）したりする際に用いられるスライドガラス格納ケースに関する。
【０００２】
【従来の技術及び発明が解決しようとする課題】
例えば、染色工程を終了したスライドガラスを保管したり、搬送したりする場合、通常は、スライドガラスをケース（スライドガラス格納ケース）に格納して保管したり、搬送したりすることが行われている。
【０００３】
ところで、このようなスライドガラス格納ケースとして、従来は、例えば、図８に示すように、ケース本体部５１と、蓋体部５２とが、それぞれ別体として形成され、ケース本体部５１にスライドガラス５３を格納した後、蓋体部５２をケース本体部５１の開口部に嵌合させることにより、スライドガラス５３が内部（格納スペース）に格納されるように構成されたスライドガラス格納ケースＢ１や、図９に示すように、枠体部５１ａを備えたケース本体部５１と、枠体部５２ａを備えた蓋体部５２とが、同一材料から一体に形成され、ケース本体部５１にスライドガラス５３を格納した後、蓋体部５２を、蓋体部５２とケース本体部５１を接続する部分に設けられた折り曲げ可能な曲折部５４を回動軸として回動させ、ケース本体部５１の枠体部５１ａの外側に、蓋体部５２の枠体部５２ａを嵌合させることにより、スライドガラス５３が内部（格納スペース）に格納されるように構成されたスライドガラス格納ケースＢ２などが用いられている。
なお、スライドガラス格納ケースとしては、その他にも、種々のスライドガラス格納ケースが用いられている。
【０００４】
しかし、従来のスライドガラス格納ケースは、いずれも、スライドガラスを内部に格納しようとすると、その度に蓋体部を開けて、スライドガラスを内部の格納スペースに格納することが必要であり、蓋体部の開閉操作のためにスライドガラスの格納に手間がかかるという問題点がある。
【０００５】
また、従来の、スライドガラス格納ケースを用いた場合、内部に格納されたスライドガラスの種類などを確認しようとすると、蓋体部を開けてスライドガラスを直接に見て確認したり、スライドガラス格納ケースの外側に情報を記載したラベルを貼り付けたりすることが必要になり、内容物の確認にも手間がかかるという問題点がある。
【０００６】
本発明は、上記問題点を解決するものであり、スライドガラスの格納をきわめて容易に行うことが可能なスライドガラス格納ケース、さらには、蓋体部を開けることなく、内容物の確認を行うことが可能なスライドガラス格納ケースを提供することを目的とする。
【０００７】
【課題を解決するための手段】
上記目的を達成するために、本発明のスライドガラス格納ケースは、
顕微鏡用のスライドガラスを格納するためのスライドガラス格納ケースであって、
ケース本体部と、開閉可能な蓋体部とを具備し、
前記ケース本体部と前記蓋体部により、スライドガラスの格納スペースと、スライドガラスを前記格納スペースに挿入するための挿入口が形成されており、
前記ケース本体部及び前記蓋体部の少なくとも一方の、前記挿入口の近傍に、スライドガラスを前記挿入口から前記格納スペースに挿入する際には変形してスライドガラスが格納スペースに挿入、格納されることを許容するが、スライドガラスが格納スペースに格納されると、形状が復元して、内部に格納されたスライドガラスが脱落することを阻止するストッパーが配設されており、かつ、
前記ケース本体部又は蓋体部の少なくとも一方の、前記挿入口を構成する部分に、スライドガラスを前記挿入口からストッパーより奥側にまで押し込んで、前記格納スペース内に格納することができるようにするための押し込み用切り欠きが形成されていること
を特徴としている。
【０００８】
ケース本体部と蓋体部により、スライドガラスの格納スペースと、スライドガラスの挿入口が形成されるようにするとともに、ケース本体部及び蓋体部の少なくとも一方に、弾性変形可能なストッパーを配設しているので、挿入口からスライドガラスを挿入する際には、ストッパーが変形してスライドガラスを格納スペースに挿入、格納することを許容する一方、スライドガラスが格納スペースに格納された場合には、ストッパーの形状が復元して、内部に格納されたスライドガラスが脱落することを防止する機能を果たす。したがって、蓋体部を開くことなく、きわめて容易にスライドガラスを内部の格納スペースに格納し、かつ、確実に格納スペース内に保持することが可能になる。
【０００９】
また、ケース本体部又は蓋体部の少なくとも一方の、挿入口を構成する部分に押し込み用切り欠きを設けるようにしているので、特に治具などを用いたりすることなく、スライドガラスを挿入口からストッパーより奥側の格納スペースにまで、容易に押し込むことができる。
【００１０】
また、請求項２のスライドガラス格納ケースは、前記ケース本体部及び蓋体部の少なくとも一方には、格納されたスライドガラスに表示された情報を確認するための窓が形成されていることを特徴としている。
【００１１】
ケース本体部及び蓋体部の少なくとも一方に窓を形成することにより、蓋体部を開く操作を必要とすることなく、スライドガラスに表示された情報を確認することが可能になり、誤って意図しないスライドガラスを格納してしまうことを防止したり、内部に格納されているスライドガラスの確認などを行ったりすることが可能になる。
【００１２】
また、請求項３のスライドガラス格納ケースは、前記ケース本体部及び蓋体部が同一材料から一体に形成されていることを特徴としている。
【００１３】
ケース本体部及び蓋体部を、同一材料から一体に形成するようにした場合、射出成形などの公知の種々の方法で、効率よく、経済的に製造することが可能になり、本発明をさらに実効あらしめることができる。
【００１４】
また、請求項４のスライドガラス格納ケースは、前記格納スペース及び挿入口が、平面的に複数の位置に配設されており、各格納スペースにスライドガラスを格納することができるように構成されていることを特徴としている。
【００１５】
格納スペース及び挿入口を、平面的に複数の位置に配設することにより、１つのスライドガラス格納ケースで、複数枚のスライドガラスを効率よく格納することが可能になり、省スペース化や、搬送や郵送などのコストの低減を図ることが可能になる。
【００１６】
【発明の実施の形態】
以下、本発明の実施の形態を示してその特徴とするところをさらに詳しく説明する。
［実施形態１］
【００１７】
図１はこの実施形態にかかるスライドガラス格納ケースＡ１を示す図であり、(ａ)は蓋体部を閉じた状態の正面図、(ｂ)は蓋体部を開いた状態の平面図、(ｃ)は図１(ｂ)のｃ−ｃ線断面図、図２はスライドガラスを格納した状態のスライドガラス格納ケースＡ１を示す正面断面図である。
【００１８】
この実施形態のスライドガラス格納ケースＡ１は、図１及び図２に示すように、スライドガラス３が格納される枠体部１ａを備えたケース本体部１と、ケース本体部１の枠体部１ａの外側に嵌合する枠体部２ａを備えた蓋体部２とを具備している。なお、蓋体部２は、蓋体部２とケース本体部１を接続する部分に設けられた曲折可能な曲折部４を回動軸として回動させることにより、ケース本体部１の枠体部１ａの外側に、蓋体部２の枠体部２ａを嵌合させて、ケース本体部１の開口部を封止することができるように構成されている。
なお、この実施形態のスライドガラス格納ケースＡ１においては、ケース本体部１と蓋体部２が同一材料（この実施形態では、ポリエチレン）により一体に形成されている。
【００１９】
また、このスライドガラス格納ケースＡ１においては、図２に示すように、ケース本体部１と蓋体部２により、スライドガラス３の格納スペース５が形成されるとともに、スライドガラス３を格納スペース５に挿入するための挿入口６が形成されるように構成されている。
【００２０】
そして、ケース本体部１の、挿入口６を構成する部分には、挿入口６からスライドガラス３を挿入する際には、変形してスライドガラス３が内部の格納スペース５に挿入、格納されることを許容するが、スライドガラス３が格納スペース５に格納されると、形状が復元して、格納スペース５に格納されたスライドガラス３が脱落することを阻止する機能を果たすストッパー７が配設されている。なお、ストッパー７は、挿入口６の幅とほぼ同じ長さを有する帯状の部材であり、下部がケース本体部１と一体に連結されており、先端（上端）側が薄くなった刃物状の形状を有している。
【００２１】
また、ケース本体部１には、格納スペース５に格納されるスライドガラス３の長手方向の２箇所に、スライドガラス３を支持するための突起部１ｂが形成されており、スライドガラス３の、突起部１ｂより外側の一方の端部を押さえることにより、逆側の端部を浮き上がらせることが可能になり、スライドガラス３を容易に取り出すことができるように構成されている。また、ケース本体部には、蓋体部２の開閉操作を容易に行うことができるように、切り欠き１ｃが形成されている。
【００２２】
また、蓋体部２の少なくとも一方の、挿入口６を構成する側の端部には、スライドガラス３を、挿入口６から、ストッパー７により内側の格納スペース５内にまで押し込むことができるように、押し込み用切り欠き８が形成されている。さらに、蓋体部２には、蓋体部２の開閉操作を容易に行うことができるように、切り欠き２ｂが形成されている。
また、蓋体部２には、格納されたスライドガラス３に表示された文字や記号などの情報などを確認するための窓９（図１(ｂ)，図２）が形成されている。
【００２３】
次に、蓋体部２が閉じられた状態のスライドガラス格納ケースＡ１にスライドガラス３を格納する方法について説明する。
【００２４】
スライドガラス３を、蓋体部２が閉じられた状態のスライドガラス格納ケースＡ１に格納するにあたっては、図３に示すように、挿入口６側からスライドガラス３を矢印Ｙの方向に挿入し、スライドガラス３の全体が格納スペース５内に格納されるまで、スライドガラス３を押し込む。このとき、ストッパー７が、図３に示すように、弾性変形するため、スライドガラス３を容易に格納スペース５内に格納することができる。また、蓋体部２に押し込み用切り欠き８が形成されているので、スライドガラス３の全体を容易に格納スペース５内に押し込むことができる。
【００２５】
また、スライドガラス格納ケースＡ１に格納されたスライドガラス３を取り出すにあたっては、ケース本体部１の切り欠き１ｃと蓋体部２の切り欠き２ｂとに指をかけて、蓋体部２が開く方向に力を加え、スライドガラス格納ケースＡ１を開状態（図１(ｂ)に示すような状態）とする。
【００２６】
それから、スライドガラス３の、突起部１ｂより外側の端部のいずれか一方を押さえることにより、逆側の端部を浮き上がらせ、該浮き上がった端部を把持してスライドガラス３を取り出す。
【００２７】
この実施形態のスライドガラス格納ケースＡ１は、ケース本体部１と蓋体部２により、スライドガラス３の格納スペース５と、スライドガラス３の挿入口６が形成されるように構成されているとともに、蓋体部２に押し込み用切り欠き８が形成され、さらに、ケース本体部１に、弾性変形可能なストッパー７が配設されているので、蓋体部２を開くことなく、挿入口６からスライドガラス３を格納スペース５に格納して、スライドガラス３を格納スペース５内に確実に保持することができるとともに、スライドガラス３を取り出す場合には、蓋体部２を開くことにより、スライドガラス３を容易に取り出すことができる。
【００２８】
また、蓋体部２に窓９を設けているので、蓋体部２を開く操作を必要とすることなく、スライドガラス３に表示された情報を確認することが可能になり、誤って意図しないスライドガラス３を格納してしまうことを防止したり、内容物の確認を行ったりすることが可能になる。
【００２９】
なお、この実施形態１では、ストッパー７をケース本体部１に配設した場合を例にとって説明したが、図４に示すように、蓋体部２にストッパー７を取り付けることも可能である。
【００３０】
また、この実施形態１では、ストッパー７が帯状の形状を有している場合を例にとって説明したが、図５に示すように、複数の突起部７ａからなるストッパー７を設けるようにしてもよい。
【００３１】
また、図６は、ストッパー７のさらに他の変形例を示す図であり、(ａ)は要部を示す正面断面図、(ｂ)は要部を示す側面図である。本発明のスライドガラス格納ケースにおいては、図６(ａ)，(ｂ)に示すように、ケース本体部１及び蓋体部２の両方にストッパー７を構成する突起部７ａ，７ｂを配設することも可能である。
【００３２】
［実施形態２］
図７は本発明の他の実施形態（実施形態２）にかかるスライドガラス格納ケースＡ２を示す平面図である。なお、図７において、図１と同一符号を付した部分は、同一又は相当部分を示している。
【００３３】
この実施形態のスライドガラス格納ケースＡ２においては、ケース本体部１１に２つのケース本体構成部（スライドガラス格納部）１１ａ，１１ｂが配設されているとともに、蓋体部１２に、窓１９ａ，１９ｂ、押し込み用切り欠き１８ａ，１８ｂを備えた２つの蓋体構成部１２ａ，１２ｂが配設されており、１つのスライドガラス格納ケースで２枚のスライドガラスを格納することができるように構成されている。なお、その他の細部の構成は、上記実施形態１の場合と同様であるため、重複を避けるため、ここでは説明は省略する。
【００３４】
この実施形態２のスライドガラス格納ケースＡ２のように、格納スペース５及び挿入口６が、平面的に複数の位置に配設された構造とすることにより、１つのスライドガラス格納ケースで、複数枚のスライドガラスを効率よく格納することが可能になり、省スペース化や、搬送や郵送などのコストの低減を図ることが可能になる。
【００３５】
なお、この実施形態２では、１つのスライドガラス格納ケースで２枚のスライドガラスを格納することができるようにした場合について説明したが、３枚以上のスライドガラスを格納することができるような構成とすることも可能である。
【００３６】
また、上記実施形態及び２では、押し込み用切り欠き及び窓を蓋体部に配設した場合について説明したが、ケース本体部に設けるようにすることも可能である。
【００３７】
なお、本発明は、上記実施形態１及び２に限定されるものではなく、ケース本体部及び蓋体部の具体的な形状、ストッパーの具体的な形状や配設位置、蓋体部に配設される窓の形状や配設位置あるいは配設数などに関し、発明の要旨の範囲内において種々の応用、変形を加えることが可能である。
【００３８】
【発明の効果】
上述のように、本発明（請求項１）のスライドガラス格納ケースは、ケース本体部と蓋体部により、スライドガラスの格納スペースと、スライドガラスの挿入口が形成されるようにするとともに、ケース本体部及び蓋体部の少なくとも一方に、弾性変形可能なストッパーを配設しているので、挿入口からスライドガラスを挿入する際には、ストッパーが変形してスライドガラスを格納スペースに挿入、格納することを許容する一方、スライドガラスが格納スペースに格納された場合には、ストッパーの形状が復元して、内部に格納されたスライドガラスが脱落することを防止する機能を果たす。したがって、蓋体部を開くことなく、きわめて容易にスライドガラスを内部の格納スペースに格納し、かつ、確実に格納スペース内に保持することが可能になる。
【００３９】
また、ケース本体部又は蓋体部の少なくとも一方の、挿入口を構成する部分に押し込み用切り欠きを設けるようにしているで、特に治具などを用いたりすることなく、スライドガラスを挿入口からストッパーより奥側の格納スペースにまで、容易に押し込むことができる。
【００４０】
また、請求項２のスライドガラス格納ケースのように、ケース本体部及び蓋体部の少なくとも一方に窓を形成するようにした場合、蓋体部を開く操作を必要とすることなく、スライドガラスに表示された情報を確認することが可能になり、誤って意図しないスライドガラスを格納してしまうことを防止したり、内部に格納されているスライドガラスの種類の確認などを行ったりすることが可能になり、本発明をさらに実効あらしめることができる。
【００４１】
また、請求項３のスライドガラス格納ケースのように、ケース本体部及び蓋体部を、同一材料から一体に形成するようにした場合、射出成形などの公知の種々の方法で、効率よく、経済的に製造することが可能になり、本発明をさらに実効あらしめることができる。
【００４２】
また、請求項４のスライドガラス格納ケースのように、格納スペース及び挿入口を、平面的に複数の位置に配設するようにした場合、１つのスライドガラス格納ケースで、複数枚のスライドガラスを効率よく格納することが可能になり、省スペース化や、搬送や郵送などのコストを低減することができるようになる。
【図面の簡単な説明】
【図１】    本発明の一実施形態にかかるスライドガラス格納ケースを示す図であり、(ａ)は蓋体部を閉じた状態の正面図、(ｂ)は蓋体部を開いた状態の平面図、(ｃ)は図１(ｂ)のｃ−ｃ線断面図である。
【図２】  本発明の一実施形態にかかるスライドガラス格納ケースにスライドガラスを格納した状態を示す正面断面図である。
【図３】  本発明の一実施形態にかかるスライドガラス格納ケースにスライドガラスを格納している状態を示す要部断面図である。
【図４】  本発明の一実施形態にかかるスライドガラス格納ケースの変形例を示す要部断面図である。
【図５】  本発明の一実施形態にかかるスライドガラス格納ケースの他の変形例を示す要部断面図である。
【図６】  本発明の一実施形態にかかるスライドガラス格納ケースのさらに他の変形例を示す図であり、(ａ)は要部断面図、(ｂ)は要部を示す側面図である。
【図７】  本発明の他の実施形態にかかるスライドガラス格納ケースを示す平面図である。
【図８】  従来のスライドガラス格納ケースを示す正面断面図である。
【図９】  従来の他のスライドガラス格納ケースを示す平面図である。
【符号の説明】
１                ケース本体部
１ａ              枠体部
１ｂ              突起部
１ｃ              切り欠き
２                蓋体部
２ａ              枠体部
２ｂ              切り欠き
３                スライドガラス
４                曲折部
５                格納スペース
６                挿入口
７                ストッパー
７ａ，７ｂ        ストッパーを構成する複数の突起部
８                押し込み用切り欠き
９                窓
１１              ケース本体部
１１ａ，１１ｂ    ケース本体構成部（スライドガラス格納部）
１２              蓋体部
１２ａ，１２ｂ    蓋体構成部
１８ａ，１８ｂ    押し込み用切り欠き
１９ａ，１９ｂ    窓
Ａ１，Ａ２        スライドガラス格納ケース
【図１】
0003893473.tif 000002
【図２】
0003893473.tif 000003
【図３】
0003893473.tif 000004
【図４】
0003893473.tif 000005
【図５】
0003893473.tif 000006
【図６】
0003893473.tif 000007
【図７】
0003893473.tif 000008
【図８】
0003893473.tif 000009
【図９】
0003893473.tif 000010